(57)【特許請求の範囲】
【請求項１】
導電性部材からなる基片から略垂直にランプ載置部を突出形成したランプ取付片を、互いのランプ載置部の突出方向を対向させて本体ケース内に一対収容し、前記ランプ載置部に冷陰極ランプの両端部をそれぞれ載置してランプ載置部にランプの両端をはんだ付けする冷陰極ランプの取付構造であって、前記ランプ載置部を、前記基片が前記冷陰極ランプの管軸方向の端側を略覆うとともに冷陰極ランプ側から見て略ハの字形状を含むように形成したことを特徴とする冷陰極ランプの取付構造。
【請求項２】
前記ランプ載置部は、下方への谷状をなすように形成されたことを特徴とする請求項１記載の冷陰極ランプの取付構造。
【請求項３】
前記ランプ取付片が、前記基片の下部にプリント基板への取付脚を有することを特徴とする請求項１、または請求項２記載の冷陰極ランプの取付構造。
【請求項４】
前記ランプ取付片のランプ載置部の上下に、反射板の保持部を前記ランプ載置部と同じ側に突設したことを特徴とする請求項１、乃至請求項３のうち１つの請求項記載の冷陰極ランプの取付構造。
【発明の詳細な説明】
【０００１】
【発明の属する技術分野】
本発明は、冷陰極ランプの取付構造に関するものである。
【０００２】
【従来の技術】
一般に、冷陰極ランプは、小型の表示装置のバックライトやビュアー装置等に用いられ、その取付構造も、ヒューズホルダを応用したような、弾性を備えた一対の金具の間に挟持させるようものや、リード線をはんだ付けして行うもの等が知られている。しかし、前者では、冷陰極ランプを一対の金具の間にはめ込むものであるために、接続部の電気的信頼性を高めるためにはんだ付けをすると、冷陰極ランプを外すことは難しく、また、冷陰極ランプの径との関係で、そのホルダである金具を選択する必要が生ずる。
【０００３】
図１１及び図１２は、従来の冷陰極ランプの取付構造を示すもので、この冷陰極ランプ１は、プリント基板２上に配設されて、点灯装置３が実装されたプリント基板２に、例えばすずめっき線等のリード線４を介してはんだ接続されるようにされている。そして、冷陰極ランプ１はプリント基板２等と共に、樹脂を薄く成型してなる本体ケース（図示せず）に収容され、点灯装置３により点灯されて、発光した光を本体ケースに収容された導光板５を介して表面パネル６から放出させるようにされており、冷陰極ランプ１の上下及び導光板５の背面側には、冷陰極ランプ１から導光板５を介して表面パネル６に効率的に光を導くための反射板７が配設されている。
【０００４】
【発明が解決しようとする課題】
しかしながら、このように構成された従来の冷陰極ランプの取付構造においては、冷陰極ランプ１にリード線４をはんだ付けする工程、及びリード線４をはんだ付けした冷陰極ランプ１をプリント基板２にはんだ付けする工程が、はんだ付け時の熱管理が難しく、例えばリード線４の一端をはんだ付けした後に他端のはんだ付けをする際には、時間がかかり過ぎると、先にはんだ付けされた一端のはんだが他端のはんだの熱の伝導により外れてしまうおそれもあって、はんだ付けの作業性が悪いという問題点があった。
【０００５】
また、冷陰極ランプ１の両端部近傍の反射板７で反射した光が、冷陰極ランプ１の管軸方向に漏れるおそれがあって、樹脂製の本体ケースを薄くする際の制約となるおそれもあり、さらには、冷陰極ランプ１と導光板５、及び反射板７との位置決めがし難いという問題点もあった。
【０００６】
本発明は、上記問題点に鑑みてなされたもので、その目的とするところは、はんだ付けの作業性が良く、冷陰極ランプの管軸方向に光が漏れにくい冷陰極ランプの取付構造を提供することにある。
【０００７】
【課題を解決するための手段】
本発明は上記問題点を解決するため、請求項１記載の発明にあっては、導電性部材からなる基片から略垂直にランプ載置部を突出形成したランプ取付片を、互いのランプ載置部の突出方向を対向させて本体ケース内に一対収容し、前記ランプ載置部に冷陰極ランプの両端部をそれぞれ載置してランプ載置部にランプの両端をはんだ付けする冷陰極ランプの取付構造であって、前記ランプ載置部を、前記基片が前記冷陰極ランプの管軸方向の端側を略覆うとともに冷陰極ランプ側から見て略ハの字形状を含むように形成したことを特徴とするものである。
【０００８】
請求項２記載の発明にあっては、請求項１記載の冷陰極ランプの取付構造において、前記ランプ載置部は、下方への谷状をなすように形成されたことを特徴とするものである。
【０００９】
請求項３記載の発明にあっては、請求項１、または請求項２記載の冷陰極ランプの取付構造において、前記ランプ取付片が、前記基片の下部にプリント基板への取付脚を有することを特徴とするものである。
【００１０】
請求項４記載の発明にあっては、請求項１、乃至請求項３のうち１つの請求項記載の冷陰極ランプの取付構造において、前記ランプ取付片のランプ載置部の上下に、反射板の保持部を前記ランプ載置部と同じ側に突設したことを特徴とするものである。
【００１１】
【発明の実施の形態】
図１及び図２は、本発明の冷陰極ランプの取付構造の第１の実施の形態を示すものであり、冷陰極ランプ１が、一対のランプ取付片８により取り付けられるようにされたものである。
【００１２】
ランプ取付片８は、導電性部材である例えばはんだ濡れ性の良い金属性であって、平面視が略コ字状をなす略平板状の基片８ａの略中央部にランプ載置部８ｂが形成されて構成され、略コ字状の開口側を下側とすると共に、一対のランプ取付片８のランプ載置部８ｂを対向させて本体ケース（図示せず）内に配設されている。このランプ載置部８ｂは、基片８ａの略中央部であるコ字状に開口した奥側の端部を、基片８ａと同一面内で開口側に突出させた三角形の２つの辺から一対の切り起こし片８ｃを基片８ａから略垂直に突設させて形成されており、基片８ａに垂直な突出方向から見て一対の切り起こし片８ｃが、下方への谷状をなすように形成されている。そして、その一対の切り起こし片８ｃの上側であって、谷状部分にランプ電極部１ａを有する冷陰極ランプ１の端部が載置されるようにされ、また、ランプ取付片８の略コ字状の開口側である下側の両端が、ランプ取付片８を本体ケースに差し込んで保持させるための取付け用の支持脚８ｄとされており、この支持脚８ｄは、プリント基板にも差し込むことができるようにされている。
【００１３】
このように構成されたランプ取付片８は、そのランプ載置部８ｂの突出方向を対向させるようにして、本体ケース内に収容された導光板に近接して配設され、一対のランプ取付片８のランプ載置部８ｂ間を橋渡しするように、冷陰極ランプ１の端部をランプ載置部８ｂに載置させて、その両端のランプ電極１ａと切り起こし片８ｃの接触した部分をはんだ付けして冷陰極ランプ１とランプ取付片８とを電気的に接続させる。そして、ランプ取付片８と点灯装置が実装されてなるプリント基板とをリード線４ではんだ接続して点灯装置との間が電気的に接続される。したがって、冷陰極ランプ１の管軸方向の端部には、基片８ａが対向するように存在して冷陰極ランプ１の管軸方向の端部を略覆うようにされている。
【００１４】
このように構成されているため、本実施の形態における冷陰極ランプの取付構造においては、冷陰極ランプ１を、本体ケースに保持されたランプ取付片８のランプ載置部８ｂを形成する切り起こし片８ｃにはんだ付けし、そのランプ取付片８の基片８ａとプリント基板との間をリード線４をはんだ付けして接続しているため、冷陰極ランプ１と切り起こし片８ｃのはんだ付けの温度を高くしたり、時間を長くしても他のはんだ付け部に影響はなく、はんだ付けの作業性が向上すると共に、冷陰極ランプ１は、本体ケースに支持脚８ｄを差し込むことにより保持されたランプ取付片８の谷状をなすランプ載置部８ｂに載置されるため、冷陰極ランプ１の位置決めが容易に、かつ精度良く行える。さらには、冷陰極ランプ１は、略谷状のランプ載置部８ｂに載置されるため、冷陰極ランプ１の管径によってランプ取付片８を選択する必要はなく、管径等が異なる冷陰極ランプ１間でランプ取付片８が共通化できてコストダウンを図ることができ、また、冷陰極ランプ１の両端の管軸方向にはランプ取付片８の基片８ａが存在するため、その方向への光漏れを抑制できる。
【００１５】
図３乃至図６は、本発明の冷陰極ランプの取付構造の第２の実施の形態を示すものであり、前記第１の実施の形態と異なる点は、ランプ取付片８を、基片８ａの下端に設けた一対の取付脚８ｄをプリント基板２に差し込んで保持させ、したがって、点灯装置３との電気的接続をリード線によらず、プリント基板２に形成した配線パターン（図示せず）に取付脚８ｄをはんだ付けして行うようにした点と、取付脚８ｄの下端近傍にプリント基板２に当接する当接片８ｅを、基片８ａと略垂直をなし切り起こし片８ｂの突出方向と同じ方向に形成した点であり、他は前記第１の実施の形態と同様に構成されている。
【００１６】
なお、図５及び図６は、本体ケース内に収容される冷陰極ランプ１と他の部品との位置関係を示すもので、プリント基板２の一端側には点灯装置３が実装されており、他端側には冷陰極ランプ１がランプ取付片８に取り付けられて配設されている。そして、この冷陰極ランプ１に一端面を対向させるように導光板５が配設され、導光板５の前面側である上面側には表面パネル６が配設されると共に、冷陰極ランプ１の上下には、導光板５の背面側から冷陰極ランプ１の点灯装置３側で折り返されて冷陰極ランプ１の前面側に至り、冷陰極ランプ１からの光を導光板５側及び表面パネル６側に反射させるように反射板７が設けられている。
【００１７】
このように構成されているため、本実施の形態における冷陰極ランプの取付構造においては、前記第１の実施の形態と同様の効果を奏すると共に、ランプ取付片８の取付脚８ｄをプリント基板２に差し込んで、当接片８ｅをプリント基板２に当接させ、取付脚８ｄのプリント基板２から突出した部分を例えばひねることにより仮固定させることができる。また、プリント基板２の点灯装置３の実装がリフローはんだ工程により行われる場合には、ランプ取付片８を当接片８ｅの部分でプリント基板２にはんだ付けすることもできる。
【００１８】
図７及び図８は、本発明の冷陰極ランプの取付構造の第３の実施の形態を示すものであり、前記第２の実施の形態と異なる点は、ランプ取付片８の基片８ａの両端の上端に、基片８ａと略垂直をなし切り起こし片８ｂの突出方向と同じ方向突出して、プリント基板２と略平行方向に、シート状の反射板７を略所望の形にガイドする保持部８ｆを設けた点であり、他は前記第２の実施の形態と同様に構成されている。
【００１９】
このように構成されたランプ取付片８は、一対の切り起こし片８ｂの突出方向を対向させて配設され、シート状の反射板７も一対のランプ取付片８間に配設されるが、このとき、反射板７は保持部８ｆと当接片８ｅとにより冷陰極ランプ１の上下方向からガイドされるようになる。
【００２０】
このように構成しても前記第２の実施の形態と同様の効果を奏すると共に、保持部８ｆと当接片８ｅとが、反射板７のガイドとなって、反射板７の位置決めがし易くなる。
【００２１】
図９及び図１０は、本発明の冷陰極ランプの取付構造の第４の実施の形態を示すものであり、前記第３の実施の形態と異なる点は、ランプ取付片８の基片８ａの両側の保持部８ｆと当接片８ｅの間に、プリント基板２と略垂直方向にシート状の反射板７をガイドする保持部である異なる保持部８ｇを設けた点であり、他は前記第３の実施の形態と同様に構成されている。
【００２２】
このように構成しても前記第３の実施の形態と同様の効果を奏すると共に、シート状の反射板７が、保持部８ｆと異なる保持部８ｇ及び当接片８ｅによりガイドされて、反射板７の位置決めがさらにし易くなる。
【００２３】
なお、前記各実施の形態においては、ランプ載置部８ｂを下側に向かって略谷状をなすものとして説明を行ったが、本発明はこれに限らず、冷陰極ランプが載置できるものであればどのようなものであってもよく、また、冷陰極ランプとランプ取付片８とのはんだ付け部も図示したものに限られるものではない。
【００２４】
【発明の効果】
このように構成されているため本発明は、請求項１記載の発明にあっては、冷陰極ランプを、ランプ取付片のランプ載置部に載置してランプ載置部にランプの両端をはんだ付けし、そのランプ取付片の基片と冷陰極ランプの点灯回路とを接続させるため、冷陰極ランプとランプ取付片のはんだ付けの温度を高くしたり、時間を長くしても他のはんだ付け部に影響はなく、はんだ付けの作業性が向上する。また、冷陰極ランプの両端の管軸方向にはランプ取付片の基片が存在するため、その方向への光漏れを抑制できる。さらには、冷陰極ランプが冷陰極ランプ側から見て略ハの字形状を含むように形成されたランプ載置部に載置されるため、冷陰極ランプの管径によってランプ取付片を選択する必要はなく、管径等が異なる冷陰極ランプ間でランプ取付片が共通化できてコストダウンを図ることができる。
【００２５】
請求項２記載の発明にあっては、請求項１記載の発明の効果に加えて、冷陰極ランプはランプ取付片の谷状をなすランプ載置部に載置されるため、冷陰極ランプの位置決めが容易に、かつ精度良く行える。
【００２６】
請求項３記載の発明にあっては、請求項１、または請求項２記載の発明の効果に加えて、ランプ取付片を取付脚をプリント基板に差し込んで、取付脚のプリント基板から突出した部分を例えばひねることによりランプ取付片をプリント基板に仮固定させることができる。
【００２７】
請求項４記載の発明にあっては、請求項１、乃至請求項３のうち１つの請求項記載の発明の効果に加えて、ランプ取付片に設けた保持部により、容易に反射板の位置決めをすることができる。
【図面の簡単な説明】
【図１】本発明の冷陰極ランプの取付構造の第１の実施の形態を示すもので、(a) は要部の平面図、(b) は要部の正面図、(c) は要部の側面図である。
【図２】同上のランプ取付片を示すもので (a)  は平面図、(b) は正面図、(c) は側面図である。
【図３】本発明の冷陰極ランプの取付構造の第１の実施の形態を示すもので、(a) は要部の平面図、(b) は要部の正面図、(c) は要部の側面図である。
【図４】同上のランプ取付片を示すもので (a)  は平面図、(b) は正面図、(c) は側面図である。
【図５】同上の本体ケース内に収容された冷陰極ランプと他の部品との位置関係を示す平面図である。
【図６】図５におけるＡ−Ａ断面図である。
【図７】本発明の冷陰極ランプの取付構造の第３の実施の形態を示すもので、(a) は要部の平面図、(b) は要部の正面図、(c) は要部の側面図である。
【図８】同上のランプ取付片を示すもので (a)  は平面図、(b) は正面図、(c) は側面図である。
【図９】本発明の冷陰極ランプの取付構造の第４の実施の形態を示すもので、(a) は要部の平面図、(b) は要部の正面図、(c) は要部の側面図である。
【図１０】同上のランプ取付片を示すもので (a)  は平面図、(b) は正面図、(c) は側面図である。
【図１１】従来の冷陰極ランプの取付構造を示すもので、本体ケース内に収容された冷陰極ランプと他の部品との位置関係を示す平面図である。
【図１２】図１１におけるＡ−Ａ断面図である。
【符号の説明】
１      冷陰極ランプ
７      反射板
８      ランプ取付片
８ａ    基片
８ｂ    ランプ載置部
８ｄ    取付脚
８ｆ，８ｇ    保持部
【図１】
0003817791.tif 000002
【図２】
0003817791.tif 000003
【図３】
0003817791.tif 000004
【図４】
0003817791.tif 000005
【図５】
0003817791.tif 000006
【図６】
0003817791.tif 000007
【図７】
0003817791.tif 000008
【図８】
0003817791.tif 000009
【図９】
0003817791.tif 000010
【図１０】
0003817791.tif 000011
【図１１】
0003817791.tif 000012
【図１２】
0003817791.tif 000013